(57)【要約】【課題】筐体に挿入するカードおよびカードを持つ人に溜まった静電気を除去することができるカード処理装置を提供する。【解決手段】カード挿入口の入口側に形成された接点部が、カード挿入口に挿入されて筐体の内部をカード処理部の所定位置まで案内されるカードに接触する。この接点部は、導電性を有する接触片部の一部に形成される。そして、接触片部は、導電性を有して一部が接地された除電部と接続しているため、カードに溜まった静電気は、接触片部と除電部を介して確実に除去される。【選択図】図４
2017126169.tif 000002
【特許請求の範囲】
【請求項１】
データを保持するカードに対して当該データの読取または書込のいずれかの処理を行うカード処理部と、
前記カード処理部を収納する筐体と、
当該筐体への前記カードの挿入を受け付けて、当該カードを、前記カード処理部が前記処理を行う所定位置まで案内するカード挿入口と、
当該カード挿入口内に設けられて、導電性を有し、前記カード挿入口に挿入された前記カードと接触する接点部が形成された接触片部と、
前記接触片部と接続されて一部が接地された、導電性を有する除電部と、
を有することを特徴とするカード処理装置。
【請求項２】
前記カード挿入口に挿入された前記カードは、前記所定位置に至る前に前記接点部と接触する、
ことを特徴とする請求項１に記載のカード処理装置。
【請求項３】
前記接点部は、前記カード挿入口に挿入された前記カードの対向する２面に夫々接触するように設ける、
ことを特徴とする請求項１または請求項２に記載のカード処理装置。
【請求項４】
前記接点部は、前記カード挿入口に挿入された前記カードの１面に接触するように設ける、
ことを特徴とする請求項１または請求項２に記載のカード処理装置。
【請求項５】
前記除電部は、前記カード処理部に対する入出力信号が流れる通信ケーブルのグラウンド線に接続される、
ことを特徴とする請求項１から請求項４のいずれか１項に記載のカード処理装置。
【発明の詳細な説明】
【技術分野】
【０００１】
本発明の実施形態は、カード処理装置に関する。
【背景技術】
【０００２】
従来、現金の代わりの決済手段として、各種カード（クレジットカード、キャッシュカード、プリペイドカード等）による決済が広く行われている。このようなカード決済は、カード端末等のカード処理装置に、所定のカードを挿入することによって行われる。
【０００３】
カード決済に使用されるカードは、一般に合成樹脂で形成されており、静電気を帯びやすい。そのため、カードをカード処理装置の筐体に挿入すると、カードに溜まった静電気およびカードを持つ人に溜まった静電気が、カードから筐体内のカードリーダ／ライタ等の電子部品に放電する。その結果、カードの読取／書込不良を招くおそれがある。さらに、カードリーダ／ライタを構成する電子部品の破損を引き起こすおそれがある。
【発明の概要】
【発明が解決しようとする課題】
【０００４】
本発明が解決しようとする課題は、筐体に挿入するカードおよびカードを持つ人に溜まった静電気を除去することができるカード処理装置を提供することである。
【課題を解決するための手段】
【０００５】
実施形態のピンパッド（ＰＩＮＰＡＤ：Personal  Identification  Number  PAD）装置（カード処理装置）は、カード処理部と、筐体と、カード挿入口と、接触片部と、除電部と、を有する。カード処理部は、データを保持するカードに対してデータの読取または書込のいずれかの処理を行う。筐体は、カード処理部を収納する。カード挿入口は、筐体へのカードの挿入を受け付けて、当該カードを、カード処理部が処理を行う所定位置まで案内する。接触片部は、カード挿入口内に設けられて導電性を有し、カード挿入口に挿入されたカードと接触する接点部が形成されている。除電部は、導電性を有して、接触片部と接続されて一部が接地される。
【図面の簡単な説明】
【０００６】
【図１】図１（ａ）は、本発明の実施形態のピンパッド装置を操作部側から見た斜視図であり、図１（ｂ）は、本発明の実施形態のピンパッド装置をカード挿入口側から見た斜視図である。
【図２】図２は、ピンパッド装置をカード挿入口側から見た正面図である。
【図３】図３（ａ）は、ピンパッド装置を図２に示す切断線Ａ−Ａで切断した部分断面図であり、図３（ｂ）は、図３（ａ）に示した接点部の形状を説明する図である。
【図４】図４は、ピンパッド装置を図３（ａ）に示す切断線Ｂ−Ｂで切断した部分断面図である。
【図５】図５は、カードに溜まった静電気を逃がすための主要な構成要素の分解斜視図である。
【図６】図６は、接点部の形状の他の実施形態を示す図である。
【図７】図７は、本発明の実施形態の変形例における接点部の構造を示す三面図である。
【発明を実施するための形態】
【０００７】
本発明の実施形態であるピンパッド装置（カード処理装置）について、図面を用いて説明する。なお、本実施形態によりこの発明が限定されるものではない。
【０００８】
図１（ａ）、図１（ｂ）は、本実施形態に係るピンパッド装置１００（カード処理装置）の斜視図である。なお、以降の説明のために、図１（ａ）、図１（ｂ）に示す座標系ＸＹＺを設定する。
【０００９】
ピンパッド装置１００は、顧客が買い物をしてカード決済を行う際に、自身のクレジットカード等のカードを挿入して暗証番号を入力する小型の端末である。ピンパッド装置１００は、図１（ａ）に示すように、筐体１０、操作部１２、表示部１４を夫々備える。さらに、ピンパッド装置１００は、図１（ｂ）に示すように、カード挿入口１６、通信ケーブル１８、接点部２０ａ、２０ｂを夫々備える。
【００１０】
筐体１０は箱型を呈して、内部に、電子部品が実装された後述する回路基板２６ａ、２６ｂ（図４参照）などを収納する。
【００１１】
操作部１２は、筐体１０の上面（Ｙ軸プラス側）に設けられて、０〜９の置数キーを含む複数のキーを備えている。カード決済を行う顧客（操作者）は、この操作部１２のキーを操作して、暗証番号の入力を行う。
【００１２】
表示部１４は、例えば液晶パネルで形成されて、筐体１０の上面（Ｙ軸プラス側）に設けられる。この表示部１４は、操作者に対する操作案内、および操作者が行った操作内容の表示を行う。
【００１３】
カード挿入口１６は、図１（ｂ）に示すように、顧客の銀行口座番号や暗証番号等が記憶されたＩＣチップＣが設けられたカード５０を、Ｚ軸に沿って、筐体１０の内部に案内する際のガイドとなる。また、カード挿入口１６は、筐体１０の内部に挿入されたカード５０を抜き取る際のガイドとなる。
【００１４】
カード挿入口１６に挿入されたカード５０は、カード５０のＩＣチップＣに対してデータの読取または書込を行うことができる所定位置まで案内される。一般には、カード５０をカード挿入口１６に挿入して最も奥（Ｚ軸の最もプラス側）まで到達した状態にあるとき、カード５０が所定位置まで案内された状態となる。
【００１５】
接点部２０ａ、２０ｂは、カード５０に溜まった静電気をグラウンド（アース）に逃がす。接点部２０ａ、２０ｂの詳細な構成については後述する。
【００１６】
なお、カード５０は、ＩＣチップＣを備える代わりに、顧客の銀行口座番号や暗証番号等の情報を記憶した磁気ストライプを備えた磁気カードであってもよい。或いは、ＩＣチップＣと磁気ストライプをともに備えたカードであってもよい。
【００１７】
通信ケーブル１８は、ピンパッド装置１００とＰＯＳ端末（非図示）を接続する。通信ケーブル１８は、後述するカード処理部１１（図３、図４参照）で処理した結果を、ＰＯＳ端末に送信する。また、カード処理部１１は、通信ケーブル１８を介して、購入した商品の販売処理を行うＰＯＳ端末から必要な信号を受信する。通信ケーブル１８には、一般に、ＵＳＢ（Universal  Serial  Bus）、ＲＳ２３２Ｃ等の規格品のシリアルケーブルが用いられる。
【００１８】
（接点部および除電部の構成の説明）
次に、図２から図４を用いて、接点部２０ａ、２０ｂおよび接点部２０ａ、２０ｂと導通する除電部２２の構成について説明する。図２は、ピンパッド装置１００をカード挿入口１６の側（図１（ｂ）においてＺ軸のマイナス側）から見た正面図である。図３（ａ）は、ピンパッド装置１００を図２に示す切断線Ａ−Ａで切断して、Ｙ軸のプラス側から見た部分断面図である。図３（ｂ）は、図３（ａ）における接点部２０ａ、２０ｂの形状を説明する図である。また、図４は、ピンパッド装置１００を図３（ａ）に示す切断線Ｂ−Ｂで切断して、Ｘ軸のプラス側から見た部分断面図である。
【００１９】
筐体１０の内部には、図３（ａ）および図４に示すように、導電性を有する板状部材である除電部２２が、筐体１０に挿入されるカード５０のカード面と略平行に設置されている。この除電部２２は、後述するように一部が接地されている。
【００２０】
図３（ａ）に示すように、この除電部２２の左右両端には、カード挿入口１６側に向かって延びる、導電性を有する細板状の接触片部２１ａ、２１ｂが、夫々形成されている。すなわち、これらの接触片部２１ａ、２１ｂは、夫々電気的に接地された状態になっている。
【００２１】
これらの接触片部２１ａ、２１ｂのカード挿入口１６側の先端は、図３（ｂ）に示すように、カード挿入口１６から挿入されるカード５０の長手方向側端面５２ａ、５２ｂ側に向かって、部分的に凸状をなすように加工されて、接点部２０ａ、２０ｂを形成している。
【００２２】
これらの接点部２０ａ、２０ｂは、図２に示すように、カード挿入口１６内部の左右端に、夫々等しいＹ座標の位置に形成されている。接点部２０ａ、２０ｂの間隔ｗは、カード挿入口１６にカード５０（図１（ｂ）参照）を挿入しない状態にあるとき、すなわち、接点部２０ａ、２０ｂにカード５０が接触していない状態にあるとき、カード５０の短辺ＳＷ（図３（ａ）参照）よりも若干小さくなるように設定されている。そして、詳しくは後述するが、これらの接点部２０ａ、２０ｂは、間隔ｗが大小に変化する方向、すなわちＸ軸方向に弾性を有している。
【００２３】
したがって、カード挿入口１６に挿入されたカード５０の対向する長手方向側端面５２ａ、５２ｂ（図３（ａ）、図３（ｂ）参照）が、夫々接点部２０ａ、２０ｂと接触して、接点部２０ａ、２０ｂの間隔ｗを押し広げる。そして、カード５０は、長手方向側端面５２ａ、５２ｂが夫々接点部２０ａ、２０ｂと接触したまま、筐体１０の内部に進入して所定位置まで案内される。
【００２４】
前記した接触片部２１ａ、２１ｂと除電部２２とは別部材として成形して、導電性を有する接着剤によって接着される。或いは、接触片部２１ａ、２１ｂと除電部２２を一つの部材として成形してもよい。いずれの場合であっても、接触片部２１ａ、２１ｂの除電部２２側の端部は、除電部２２と接続された固定端となっている。したがって、接触片部２１ａ、２１ｂは、夫々、カード５０の長手方向側端面５２ａ、５２ｂに対して直交する方向に弾性を有する、いわゆる片持ち梁状の板バネを形成する。
【００２５】
したがって、接点部２０ａ、２０ｂは、カード挿入口１６にカード５０を挿入したときに、カード５０の進入を妨げず、なおかつ、カード５０の長手方向側端面５２ａ、５２ｂと接触した状態を保持して、カード５０を所定位置まで円滑に案内する。逆に、カード５０を抜き取る際も、接点部２０ａ、２０ｂは、カード５０の長手方向側端面５２ａ、５２ｂと接触した状態を保持したまま、カード５０を円滑に抜き取ることができるように作用する。
【００２６】
なお、図４に示すように、接点部２０ａ、２０ｂのＹ軸方向の高さｈｃは、カード挿入口１６の開口高さｈよりも大きく形成されている。そして、接点部２０ａ、２０ｂは、カード挿入口１６の左右端に隙間なく臨んでいる。したがって、カード挿入口１６に挿入されたカード５０の長手方向側端面５２ａ、５２ｂ（図３（ａ）参照）は、必ず接点部２０ａ、２０ｂに接触する。
【００２７】
除電部２２の裏面側（Ｙ軸のマイナス側）には、図３（ａ）、図４に示すように、導電性と弾性をともに有するガスケット２４が、導電性を有する接着剤または導電性を有する両面テープによって除電部２２に貼付されている。
【００２８】
さらに、図４に示すように、ガスケット２４の裏面側（Ｙ軸のマイナス側）は、回路基板２６ａと圧接している。この回路基板２６ａは、例えば、ポリカーボネイト等の樹脂材料で形成されている。回路基板２６ａは、カード５０に対してデータの読取または書込のいずれかの処理を行う各種電子部品を実装している。
【００２９】
除電部２２を挟んで回路基板２６ａと対向する位置には、回路基板２６ａと同様に、例えば、ポリカーボネイト等の樹脂材料で形成された回路基板２６ｂが設置されている。この回路基板２６ｂも、カード５０に対してデータの読取または書込のいずれかの処理を行う各種電子部品を実装している。そして、これらの回路基板２６ａ、２６ｂは、前述したカード処理部１１を構成している。
【００３０】
回路基板２６ａのうち、ガスケット２４の裏面側が圧接した箇所には、回路基板２６ａの基板面にグラウンド（アース）パターンＧＮＤ（図５参照）が形成されている。ガスケット２４の裏面側は、このグラウンドパターンＧＮＤと接触している。回路基板２６ａの基板面に形成されたグラウンドパターンＧＮＤには、導電物との不用意な接触による短絡を防止するために、絶縁性を有する被覆を形成するのが一般的である。しかし、本実施形態にあっては、回路基板２６ａの基板面に形成されたグラウンドパターンＧＮＤのうち、圧接されたガスケット２４が接触する領域のみは、グラウンドパターンＧＮＤの表面の被覆が除去されて、グラウンドパターンＧＮＤが露出している。
【００３１】
したがって、本実施形態のピンパッド装置１００にあっては、カード５０の長手方向側端面５２ａから、接点部２０ａ、接触片部２１ａ、除電部２２、ガスケット２４を介して回路基板２６ａのグラウンドパターンＧＮＤに至る導通経路が形成される。また、カード５０の長手方向側端面５２ｂから、接点部２０ｂ、接触片部２１ｂ、除電部２２、ガスケット２４を介して回路基板２６ａのグラウンドパターンＧＮＤに至る導通経路が形成される。
【００３２】
通信ケーブル１８は、図４に示すように、回路基板２６ａと電気的に接続されている。そして、回路基板２６ａ上のグラウンドパターンＧＮＤ（図５参照）は、通信ケーブル１８のグラウンド線と接続している。
【００３３】
（カード処理装置の作用の説明）
次に、ピンパッド装置１００（カード処理装置）が、カード５０に溜まった静電気を逃がす作用について、図５を用いて説明する。図５は、図４の中から、カード５０に溜まった静電気を逃がすための主要な構成要素のみを抽出した分解斜視図であり、さらに、静電気を除電する際の電気の流れを書き加えた図である。図５に示すように、カード５０に溜まった静電気は、カード５０の長手方向側端面５２ａ、５２ｂが、夫々接点部２０ａ、２０ｂに接触した際に、接点部２０ａ、２０ｂおよび接触片部２１ａ、２１ｂを介して除電部２２に流れ込む（矢印Ａ）。
【００３４】
除電部２２に流れ込んだ静電気は、除電部２２に接着されたガスケット２４に流れ込む（矢印Ｂ）。
【００３５】
ガスケット２４に流れ込んだ静電気は、さらに、ガスケット２４が圧接されて接触する回路基板２６ａの基板面に形成されたグラウンドパターンＧＮＤに流れ込む（矢印Ｃ）。
【００３６】
グラウンドパターンＧＮＤに流れ込んだ静電気は、回路基板２６ａに接続された通信ケーブル１８に流れ込む（矢印Ｄ）。そして、通信ケーブル１８のグラウンド線を介して、静電気をピンパッド装置１００の外部に逃がすことができる。
【００３７】
ここで、カード５０に溜まった静電気を確実に逃がすためには、接点部２０ａ、２０ｂから通信ケーブル１８までの距離はできるだけ短くするのが望ましい。したがって、圧接されたガスケット２４が接触する回路基板２６ａの領域に、通信ケーブル１８のグラウンド線を、直接接続する構成にしてもよい。
【００３８】
また、本実施形態においては、接点部２０ａ、２０ｂを夫々有する２つの接触片部２１ａ、２１ｂを形成したが、接触片部２１ａ、２１ｂはいずれか一方のみがあれば、カード５０に溜まった静電気を除去することができる。
【００３９】
すなわち、図２において、接点部２０ａ、２０ｂのうちいずれか一方のみを有する構成としてもよい。このような構成にすることによって、本実施形態で説明した除電部２２の寸法をより小さくすることができるため、除電部２２の構造を複雑にすることなく、カード５０に溜まった静電気を除去することができる。
【００４０】
また、本実施形態において、接点部２０ａ、２０ｂの形状は、前述した例（図３（ｂ）参照）に限定されるものではない。図６は、接触片部２１ｃ、２１ｄの先端部に、夫々Ｚ軸マイナス側が先細ったテーパー状をなす第１傾斜部２２ａ、２２ｂと、Ｚ軸プラス側が先細ったテーパー状をなす第２傾斜部２４ａ、２４ｂを形成した例である。
【００４１】
図６において、第１傾斜部２２ａと第２傾斜部２４ａの接続部に、カード５０の長手方向側端面５２ａに向かう接点部２０ｃが形成される。そして、第１傾斜部２２ｂと第２傾斜部２４ｂの接続部に、カード５０の長手方向側端面５２ｂに向かう接点部２０ｄが形成される。
【００４２】
このような形状の接点部２０ｃ、２０ｄによっても、カード５０の挿入動作と抜き取り動作を妨げずに、なおかつ、挿入されたカード５０と確実に接触することによって静電気を逃がす機能を実現することができる。
【００４３】
（実施形態の変形例の説明）
次に、本実施形態の変形例について説明する。図７は、本実施形態の変形例であるピンパッド装置１０２（カード処理装置）の接点部２０ｅ、２０ｆの構造を示す三面図である。この変形例は、接触片部２１ｅ、２１ｆとそれらの先端に夫々形成した接点部２０ｅ、２０ｆを、カード５０の板面５２ｃ、５２ｄに直交する方向（Ｙ軸方向）に弾性を有する片持ち梁状の板バネとして形成した例である。
【００４４】
すなわち、前述した実施形態とは異なり、カード５０を挿入した際に、接点部２０ｅ、２０ｆは、夫々カード５０の対向する板面５２ｃ、５２ｄに接触した状態で、カード５０をデータの読取、書込が可能な位置まで案内する。
【００４５】
なお、図７に示すように、除電部２２は、接触片部２１ｅ、２１ｆと夫々接続しているため、前述した実施形態と同様に作用して、カード５０に溜まった静電気をグラウンドに逃がす。
【００４６】
このように、実施形態のピンパッド装置１００（カード処理装置）によれば、カード挿入口１６の挿入口内に形成された接点部２０ａ、２０ｂが、カード挿入口１６に挿入されて筐体１０の内部をカード処理部１１の所定位置まで案内されるカード５０に接触する。これらの接点部２０ａ、２０ｂは、夫々、導電性を有する接触片部２１ａ、２１ｂの一部に形成される。そして、接触片部２１ａ、２１ｂは、導電性を有して一部が接地された除電部２２と接続しているため、カード５０に溜まった静電気は、接触片部２１ａ、２１ｂと除電部２２を介して確実に除去することができる。
【００４７】
そして、実施形態のピンパッド装置１００（カード処理装置）によれば、カード挿入口１６に挿入されたカード５０は、カード処理部１１の所定位置に至る前に、接点部２０ａ、２０ｂと接触する。したがって、カード５０が所定位置に至って、ＩＣチップＣがカード処理部１１の入出力端子と接触する前に、カード５０に溜まった静電気は接点部２０ａ、２０ｂを介して除去することができる。
【００４８】
さらに、実施形態のピンパッド装置１００（カード処理装置）によれば、接点部２０ａ、２０ｂは、カード挿入口１６に挿入されたカード５０の対向する２面（長手方向側端面５２ａ、５２ｂ）に夫々接触するように設けられる。したがって、接点部２０ａ、２０ｂとカード５０との接触面積をより広くすることができるため、カード５０に溜まった静電気をより確実に除去することができる。
【００４９】
そして、実施形態のピンパッド装置１００（カード処理装置）によれば、接点部２０ａまたは接点部２０ｂのいずれか一方が、カード挿入口１６に挿入されたカード５０の１面（長手方向側端面５２ａまたは長手方向側端面５２ｂ）に接触するように設けられる。したがって、除電部２０の構造およびカード挿入口１６の内部構造を複雑にすることなく、カード５０に溜まった静電気を除去することができる。
【００５０】
また、実施形態のピンパッド装置１００（カード処理装置）によれば、除電部２２は、カード処理部１１に対する入出力信号が流れる通信ケーブル１８のグラウンド線に接続される。したがって、静電気を外部に逃がすための専用のケーブルを新たに設置する必要がない。
【００５１】
そして、実施形態の変形例のピンパッド装置１０２（カード処理装置）によれば、接点部２０ｅ、２０ｆは、カード５０の対向する２面（板面５２ｃ、５２ｄ）に夫々接触するように形成される。したがって、接点部２０ｅ、２０ｆとカード５０との接触面積をより広くすることができるため、カード５０に溜まった静電気をより確実に除去することができる。
【００５２】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５３】
１０            筐体
１１            カード処理部
１６            カード挿入口
１８            通信ケーブル
２０ａ、２０ｂ  接点部
２１ａ、２１ｂ  接触片部
２２            除電部
２４            ガスケット
２６ａ、２６ｂ  回路基板
５０            カード
１００          ピンパッド装置（カード処理装置）
【先行技術文献】
【特許文献】
【００５４】
【特許文献１】特開２００３−３１７０４５号公報
【図１】
2017126169.tif 000003
【図２】
2017126169.tif 000004
【図３】
2017126169.tif 000005
【図４】
2017126169.tif 000006
【図５】
2017126169.tif 000007
【図６】
2017126169.tif 000008
【図７】
2017126169.tif 000009